(57)【特許請求の範囲】
【請求項１】
洗濯水槽と、
前記洗濯水槽内に、水平方向または水平方向に対して所定角度だけ傾斜した方向に延びる回転軸を中心に回転可能に配置され、前記回転軸方向における一端面に出入口が形成されており、前記出入口を介して内部に洗濯物を収容可能なドラムと、
前記ドラムの内周面において、前記内周面の周方向に沿って等間隔で配置され、前記ドラム内の洗濯物を攪拌するための３つのバッフルと、
洗濯物を浄化するための浄化用空気を前記出入口から前記ドラム内に供給する浄化用空気供給手段と、
１つの前記バッフルが下限に位置する状態において当該バッフルを跨ぐように前記ドラム内に配置され、幅方向中央部に当該バッフルを受け入れる受入部を有し、下限にあるバッフルに受入部を嵌合させることにより、前記ドラム内で位置決め保持されるブーツが載置されるブーツトレイと、
ブーツに挿入される一対のブーツアタッチメントと、
を備え、
前記一対のブーツアタッチメントは、それぞれ、
ブーツ内に余裕を持って挿入される太さで、下方へ向うのに従って次第に細くなり、下端において僅かに太くなっていて、前記ドラム内に供給された浄化用空気が上部から内部に入って下降する筒状体と、
ブーツの履き口から露出するように前記筒状体の上部に設けられ、前記ドラム内に供給された浄化用空気を前記筒状体内へ導き入れる導入部と、
ブーツ内部における爪先部分に向くように前記筒状体の下部に形成され、前記筒状体内の浄化用空気を前記筒状体外へ至らせる下部開口と、
前記筒状体において、その前方側および後方側に上下方向に長手に形成された凹部と、その凹部内に多数の小孔によって形成された前記筒状体内の浄化用空気を前記筒状体外へ至らせる途中開口と、
前記筒状体外へ至ってブーツ内部の浄化に供した空気が前記筒状体とブーツの内面との間を通ってブーツの履き口へ向って上昇するように案内する案内部と、
前記筒状体の上部に設けられ、一対の前記ブーツアタッチメントを一体化させる一体化機構と、
を有することを特徴とする、洗濯機。
【請求項２】
前記浄化用空気供給手段により前記ドラム内に浄化用空気を所定時間供給する動作を行うことにより、ブーツを浄化する浄化運転を行う制御手段を有することを特徴とする、請求項１記載の洗濯機。
【請求項３】
内周面の周方向に沿って等間隔で配置された洗濯物を攪拌するための３つのバッフルを有する回転自在なドラムと、洗濯物を浄化するための浄化用空気を前記ドラム内に供給する浄化用空気供給手段と、を備えた洗濯機に着脱自在に装着されるブーツトレイであって、
１つの前記バッフルが下限に位置する状態において当該バッフルを跨ぐように前記ドラム内に配置され、幅方向中央部に当該バッフルを受け入れる受入部を有し、下限にあるバッフルに受入部を嵌合させることにより、前記ドラム内で位置決め保持されるブーツが載置されることを特徴とする、ブーツトレイ。
【請求項４】
ブーツを収納するブーツ収納庫と、ブーツを浄化するための浄化用空気を前記ブーツ収納庫内に供給する浄化用空気供給手段と、を備えたブーツ収納装置で用いられるブーツアタッチメントであって、
ブーツ内に挿入される太さで、下方へ向うのに従って次第に細くなり、下端において僅かに太くなっていて、前記ブーツ収納庫内に供給された浄化用空気が上部から内部に入って下降する筒状体と、
前記筒状体内の浄化用空気を前記筒状体外へ至らせる開口と、
を有し、
ブーツの履き口から露出するように前記筒状体の上部に設けられ、前記ブーツ収納庫内に供給された浄化用空気を前記筒状体内へ導き入れる導入部と、
前記筒状体の上部に設けられ、一対の前記ブーツアタッチメントを一体化させる一体化機構と、
を有し、
前記開口は、ブーツ内部における爪先部分に向くように前記筒状体の下部に形成された下部開口と、
前記筒状体において、その前方側および後方側に上下方向に長手に形成された凹部と、その凹部内に多数の小孔によって形成された途中開口を含み、
前記一体化機構はマグネットを含むことを特徴とする、ブーツアタッチメント。
【発明の詳細な説明】
【技術分野】
【０００１】
この発明は、浄化用空気によってブーツを浄化することができる洗濯機、ならびに、浄化用空気によってブーツを浄化するために使用されるブーツトレイおよびブーツアタッチメントに関する。
【背景技術】
【０００２】
ハウジング内にドラムを有し、このドラムに洗濯物を収容して洗濯を行う洗濯機が公知である。さらに、オゾンを含む空気（浄化用空気ということがある。）をドラム内に供給して、浄化用空気でドラム内の洗濯物の除菌および消臭（まとめて浄化ということがある。）を行う洗濯機も知られている（たとえば、特許文献１参照）。
特許文献１に記載の洗濯機では、通常の洗濯および乾燥とは独立した処理として、浄化用空気による洗濯物の浄化運転（エアウォッシュ運転と呼ばれる。）が行われる。
【特許文献１】特開２００７−１９５８９６号公報
【発明の開示】
【発明が解決しようとする課題】
【０００３】
エアウォッシュ運転では、洗濯機で通常洗濯される衣類の他に、靴やぬいぐるみなども浄化できるが、靴においては、ビジネスシューズやサンダルやスニーカーといった比較的背の低いものに限らず、ブーツといった比較的背の高いものも浄化できると使い勝手が良い。
この発明は、かかる背景のもとになされたもので、浄化用空気によってブーツを良好に浄化することができる洗濯機を提供することを主たる目的とする。
【０００４】
この発明は、浄化用空気によってブーツを良好に浄化するために使用されるブーツトレイおよびブーツアタッチメントを提供することを他の目的とする。
【課題を解決するための手段】
【０００５】
請求項１記載の発明は、洗濯水槽と、前記洗濯水槽内に、水平方向または水平方向に対して所定角度だけ傾斜した方向に延びる回転軸を中心に回転可能に配置され、前記回転軸方向における一端面に出入口が形成されており、前記出入口を介して内部に洗濯物を収容可能なドラムと、前記ドラムの内周面において、前記内周面の周方向に沿って等間隔で配置され、前記ドラム内の洗濯物を攪拌するための３つのバッフルと、洗濯物を浄化するための浄化用空気を前記出入口から前記ドラム内に供給する浄化用空気供給手段と、１つの前記バッフルが下限に位置する状態において当該バッフルを跨ぐように前記ドラム内に配置され、幅方向中央部に当該バッフルを受け入れる受入部を有し、下限にあるバッフルに受入部を嵌合させることにより、前記ドラム内で位置決め保持されるブーツが載置されるブーツトレイと、ブーツに挿入される一対のブーツアタッチメントと、を備え、前記一対のブーツアタッチメントは、それぞれ、ブーツ内に余裕を持って挿入される太さで、下方へ向うのに従って次第に細くなり、下端において僅かに太くなっていて、前記ドラム内に供給された浄化用空気が上部から内部に入って下降する筒状体と、ブーツの履き口から露出するように前記筒状体の上部に設けられ、前記ドラム内に供給された浄化用空気を前記筒状体内へ導き入れる導入部と、ブーツ内部における爪先部分に向くように前記筒状体の下部に形成され、前記筒状体内の浄化用空気を前記筒状体外へ至らせる下部開口と、前記筒状体において、その前方側および後方側に上下方向に長手に形成された凹部と、その凹部内に多数の小孔によって形成された前記筒状体内の浄化用空気を前記筒状体外へ至らせる途中開口と、前記筒状体外へ至ってブーツ内部の浄化に供した空気が前記筒状体とブーツの内面との間を通ってブーツの履き口へ向って上昇するように案内する案内部と、前記筒状体の上部に設けられ、一対の前記ブーツアタッチメントを一体化させる一体化機構と、を有することを特徴とする、洗濯機である。
【０００６】
請求項２記載の発明は、前記浄化用空気供給手段により前記ドラム内に浄化用空気を所定時間供給する動作を行うことにより、ブーツを浄化する浄化運転を行う制御手段を有することを特徴とする、請求項１記載の洗濯機である。
【００１０】
請求項３記載の発明は、内周面の周方向に沿って等間隔で配置された洗濯物を攪拌するための３つのバッフルを有する回転自在なドラムと、洗濯物を浄化するための浄化用空気を前記ドラム内に供給する浄化用空気供給手段と、を備えた洗濯機に着脱自在に装着されるブーツトレイであって、１つの前記バッフルが下限に位置する状態において当該バッフルを跨ぐように前記ドラム内に配置され、幅方向中央部に当該バッフルを受け入れる受入部を有し、下限にあるバッフルに受入部を嵌合させることにより、前記ドラム内で位置決め保持されるブーツが載置されることを特徴とする、ブーツトレイである。
【００１１】
請求項４記載の発明は、ブーツを収納するブーツ収納庫と、ブーツを浄化するための浄化用空気を前記ブーツ収納庫内に供給する浄化用空気供給手段と、を備えたブーツ収納装置で用いられるブーツアタッチメントであって、ブーツ内に挿入される太さで、下方へ向うのに従って次第に細くなり、下端において僅かに太くなっていて、前記ブーツ収納庫内に供給された浄化用空気が上部から内部に入って下降する筒状体と、前記筒状体内の浄化用空気を前記筒状体外へ至らせる開口と、を有し、ブーツの履き口から露出するように前記筒状体の上部に設けられ、前記ブーツ収納庫内に供給された浄化用空気を前記筒状体内へ導き入れる導入部と、前記筒状体の上部に設けられ、一対の前記ブーツアタッチメントを一体化させる一体化機構と、を有し、前記開口は、ブーツ内部における爪先部分に向くように前記筒状体の下部に形成された下部開口と、前記筒状体において、その前方側および後方側に上下方向に長手に形成された凹部と、その凹部内に多数の小孔によって形成された途中開口を含み、前記一体化機構はマグネットを含むことを特徴とする、ブーツアタッチメントである。
【発明の効果】
【００１４】
請求項１記載の発明によれば、この洗濯機では、３つのバッフルのうちの１つのバッフルが下限に位置する状態において当該バッフルを跨ぐようにブーツトレイがドラム内に配置される。このとき、当該バッフルをブーツトレイの受入部に受け入れさせることによって、ブーツトレイがドラム内に位置決めされる。そして、このブーツトレイにブーツが載置され、ブーツには一対のブーツアタッチメントが挿入される。ここで、３つのバッフルは、ドラムの内周面において内周面の周方向に沿って等間隔で配置されているので、１つのバッフルが下限に位置すると、残りのバッフルは、ドラム内においてブーツトレイに載置されたブーツおよびブーツアタッチメントの上端から離れた位置に配置される。これにより、これらの残りのバッフルがブーツおよびブーツアタッチメントに干渉することを防止することができる。そのため、ドラム内におけるブーツおよびブーツアタッチメントの姿勢を安定させることができる。
【００１５】
各ブーツアタッチメントでは、筒状体がブーツ内に余裕を持って挿入されており、筒状体の上部に設けられた導入部がブーツの履き口から露出している。そして、筒状体の下部に形成された下部開口がブーツ内部における爪先部分に向いており、筒状体の上部から下部へ向かう途中には、途中開口が形成されている。
このようなブーツアタッチメントでは、浄化用空気供給手段によってドラム内に供給された浄化用空気が導入部によって筒状体内へ導き入れられて筒状体内を下降する。そして、この浄化用空気は、途中開口および下部開口から筒状体外へ至ってブーツ内部に行き渡る。これにより、浄化用空気によってブーツ内部が浄化される。
【００１６】
そして、筒状体外へ至ってブーツ内部の浄化に供した空気は、浄化用空気（たとえばオゾン）に比べて軽く、案内部によって、筒状体とブーツの内面との間を通ってブーツの履き口へ向って上昇するように案内されるので、ブーツの外へ円滑に排出される。これにより、新しい浄化用空気を筒状体内に円滑に取り込むことができる。
また、筒状体の上部に設けられた一体化機構によって、ブーツに挿入された一対のブーツアタッチメントを一体化させると、これらのブーツアタッチメントが互いに支え合うので、ブーツ内部の浄化中において、これらのブーツアタッチメントの姿勢を安定させることができる。
【００１７】
これらの結果、この洗濯機では、浄化用空気によってブーツを良好に浄化することができる。特に、下部開口から筒状体外へ至った浄化用空気は、ブーツ内部における爪先部分へ向うので、浄化用空気によって爪先部分を良好に浄化することができる。また、途中開口から筒状体外へ至った浄化用空気は、ブーツ内部において、筒状体の上部から下部までの間に相当する部分へ向うので、浄化用空気によってこの部分を良好に浄化することができる。
【００１８】
請求項２記載の発明によれば、制御手段によって、ドラム内に浄化用空気を所定時間供給する浄化運転が実行されるので、ブーツを良好に浄化することができる。
【００２３】
請求項３記載の発明によれば、洗濯機では、３つのバッフルのうちの１つのバッフルが下限に位置する状態において当該バッフルを跨ぐようにブーツトレイがドラム内に配置される。このとき、当該バッフルをブーツトレイの受入部に受け入れさせることによって、ブーツトレイがドラム内に位置決めされる。そして、このブーツトレイにブーツが載置される。
【００２４】
ここで、３つのバッフルは、ドラムの内周面において内周面の周方向に沿って等間隔で配置されているので、１つのバッフルが下限に位置すると、残りのバッフルは、ドラム内においてブーツトレイに載置されたブーツの上端から離れた位置に配置される。これにより、これらの残りのバッフルがブーツに干渉することを防止することができる。そのため、ドラム内におけるブーツの姿勢を安定させることができる。
【００２５】
この結果、浄化用空気をドラム内のブーツに効果的に浴びせることができるので、このようなブーツトレイを用いることにより、浄化用空気によってブーツを良好に浄化することができる。
請求項４記載の発明によれば、このブーツ収納装置では、ブーツ収納庫にブーツが収納され、ブーツアタッチメントの筒状体がブーツ内に挿入されており、浄化用空気供給手段によってブーツ収納庫内に供給された浄化用空気が筒状体内へ入って筒状体内を下降する。そして、この浄化用空気は、開口から筒状体外へ至ってブーツ内部に行き渡る。
【００２６】
つまり、このようなブーツアタッチメントを用いることにより、浄化用空気によってブーツを良好に浄化することができる。
また、このブーツアタッチメントでは、筒状体の上部に設けられた導入部がブーツの履き口から露出しているので、浄化用空気供給手段によってブーツ収納庫内に供給された浄化用空気が導入部によって筒状体内へ円滑に導き入れられる。
【００２７】
また、筒状体の上部に設けられた一体化機構によって、ブーツに挿入された一対のブーツアタッチメントを一体化させると、これらのブーツアタッチメントが互いに支え合うので、ブーツ内部の浄化中において、これらのブーツアタッチメントの姿勢を安定させることができる。
そして、開口は、ブーツ内部における爪先部分に向くように筒状体の下部に形成された下部開口を含む。そのため、下部開口から筒状体外へ至った浄化用空気は、ブーツ内部における爪先部分へ向うので、浄化用空気によって爪先部分を良好に浄化することができる。
【００２８】
さらに、ブーツアタッチメントでは、筒状体の上部に設けられた導入部がブーツの履き口から露出しているので、浄化用空気供給手段によってブーツ収納庫内に供給された浄化用空気が導入部によって筒状体内へ円滑に導き入れられる。
また、筒状体の上部に設けられた一体化機構によって、ブーツに挿入された一対のブーツアタッチメントを一体化させると、これらのブーツアタッチメントが互いに支え合うので、ブーツ内部の浄化中において、これらのブーツアタッチメントの姿勢を安定させることができる。
【００２９】
そして、開口は、筒状体において、筒状体の上部から下部へ向かう途中に形成された途中開口を含む。そのため、途中開口から筒状体外へ至った浄化用空気は、ブーツ内部において、筒状体の上部から下部までの間に相当する部分へ向うので、浄化用空気によってこの部分を良好に浄化することができる。
【発明を実施するための最良の形態】
【００３０】
以下では、この発明の一実施形態に係る洗濯機１（ブーツ収納装置）を、添付図面を参照して詳細に説明する。なお、本発明は、洗濯機能に加えて乾燥機能も有する洗濯乾燥機や、乾燥機能のみを有する乾燥機にも適用される。
図１は、この発明の一実施形態に係る洗濯機１の右側断面図である。なお、方向について言及する場合には、図示した方向矢印を参照する（他の図においても同様）。ここで、前側と正面側とは同じであり、後側と背面側とは同じであり、左右方向と幅方向とは同じである。
１．洗濯機の全体構成
図１を参照して、洗濯機１は、その外殻を構成するやや縦長直方体形状のハウジング２を有する。ハウジング２の内部には、洗濯物を収容する洗濯槽３が配置されている。ハウジング２の正面（前面）略中央には、円形状の開口４が形成され、また、開口４を開閉可能なドア５が備えられている。ドア５は、主表面がたとえば透明な強化ガラスや透明な樹脂で構成された略円錐台形状である。
【００３１】
ハウジング２の正面上部（ドア５の上方）には、操作・表示部６が配置されている。操作・表示部６には、複数の操作キー（図示せず）および表示器（図示せず）が配列されており、操作キー（図示せず）を操作することで洗濯機１の運転を制御でき、表示器（図示せず）には洗濯機１の運転状況が表示される。
洗濯槽３は、略円筒状の内周面を有する外槽７（洗濯水槽）と、外槽７内に設けられた円筒状のドラム８（ブーツ収納庫）とを含んでいる。ドラム８の円中心をなす回転軸９は、水平方向または水平方向に対して所定角度だけ傾斜した方向に延びており、ドラム８は、外槽７内において回転軸９を中心に回転可能に配置されている。ここでは、回転軸９は、水平方向に対して斜め前側上方ヘ傾斜して延びている。
【００３２】
外槽７の背面にはＤＤモータ１０が取り付けられており、ＤＤモータ１０の出力軸１１がドラム８の後壁の円中心部分（回転軸９が通る部分）に連結されている。ＤＤモータ１０が駆動されることによって外槽７内でドラム８が回転される。つまり、この洗濯機１は、ドラム式洗濯機である。
ドラム８の円周壁には、多数の貫通穴（図示せず）が形成されており、これらの貫通穴を介して、ドラム８内部と外槽７内部とは連通している。
【００３３】
ドラム８の内周面には、３つのバッフル１２が設けられている。３つのバッフル１２は、ドラム８の内周面において、その内周面の周方向に沿って等間隔で配置されている。バッフル１２は、回転軸９に沿って長手であり、回転軸９へ向って突出している。バッフル１２の先端部（突出方向における端部）は、後側へ向うのに従って、ドラム８の周方向へずれつつ回転軸９へ近付いている。つまり、バッフル１２の先端部は、前端１２Ａと後端１２Ｂとで周方向における位置が違っており、後端１２Ｂにおいて最も回転軸９側へ突出している。
【００３４】
ドラム８において、回転軸９の延びる方向における前端面には、出入口１３が形成されている。出入口１３は、ハウジング２の開口４に対向しており、開口４および出入口１３を介して洗濯物がドラム８内に対して出し入れされる。
上述したドア５は、開口４を閉じたときに出入口１３を塞ぐ（出入口１３に栓をする）。ドア５は、上述したように略円錐大形状であって、ドア５が開口４を閉じた状態において、ドア５の円錐面５Ａが、開口４と出入口１３との間に配置される。なお、円錐面５Ａは完全な円錐面である必要はなく、途中部分が階段状になっていてもよい。一方、ドア５は、開口４を開いたときに出入口１３を正面へ開放する。
【００３５】
この洗濯機１では、洗い運転、すすぎ運転および乾燥運転が実施される。
洗い運転では、外槽７に、洗剤を含んだ水（洗剤水という。）が溜められる。外槽７に溜められた洗剤水は、ドラム８内に到達し、ドラム８に収容された洗濯物の汚れを分解する。洗い運転では、ドラム８が回転され、回転するバッフル１２によってドラム８内の洗濯物が持ち上げられて自然落下するといった、いわゆるたたき洗いが行われる。ここで、バッフル１２は、洗濯物を攪拌している。
【００３６】
すすぎ運転では、ドラム８内の洗濯物に、洗剤が含まれていない水が浴びせられ、洗濯物から洗剤成分や汚れ成分が流し落とされる。なお、洗剤成分および汚れ成分が除去された洗濯物に、柔軟剤を含んだ水が浴びせられてもよい。また、すすぎを促進するために、ドラム８が回転し、バッフル１２によって洗濯物が攪拌されてもよい。
乾燥運転に関し、ハウジング２において洗濯槽３の上側には、ヒータ１４および送風機１５が設けられている。また、ハウジング２には、ヒータ１４および送風機１５から開口４の上端と出入口１３の上端との間へ延びる空気流路１６が設けられている。
【００３７】
乾燥運転では、ヒータ１４によって加熱された空気（加熱空気という。）が送風機１５によって空気流路１６へ吐き出される。空気流路１６へ吐き出された加熱空気は、開口４の上端と出入口１３の上端との間へ到達してから、ドア５の円錐面５Ａにぶつかることによって出入口１３へ導かれ、出入口１３からドラム８内に送り込まれる（図示太線矢印参照）。そして、ドラム８内に送り込まれた加熱空気が洗濯物内の水分を気化することによって、洗濯物の乾燥が行われる。なお、乾燥を促進するために、ドラム８が回転し、バッフル１２によって洗濯物が攪拌されてもよい。
２．オゾン供給装置
この洗濯機１には、送風機１５の近傍（つまり洗濯槽３の上側）にオゾン発生装置１７が備えられている。オゾン発生装置１７は、後述するエアウォッシュ運転（浄化運転）時にオゾンを発生させて、ドラム８内の洗濯物を除菌・消臭するエアウォッシュに寄与する。
【００３８】
なお、エアウォッシュとは、ドラム８内に収容された洗濯物に対し、オゾン（浄化用空気）を含む空気を与え、オゾンによって洗濯物に付着した雑菌等の除菌および消臭を行う処理のことであり、上述した洗い運転、すすぎ運転および乾燥運転とは異なる独立した処理である。エアウォッシュでは、オゾンを含む空気（エア）によって、洗濯物があたかもエアで洗われ、除菌・消臭がされるかのごとくであるから、本願出願人は、オゾンを用いて行う洗濯物の除菌・消臭をエアウォッシュと称している。なお、このようなエアウォッシュ運転は、乾燥運転と一緒に実行されてもよい。
【００３９】
具体的には、エアウォッシュ運転時には、送風機１５およびオゾン発生装置１７が作動する。オゾン発生装置１７で発生したオゾンが、送風機１５によって空気流路１６へ吐き出され、乾燥運転時における加熱空気と同様に、空気流路１６および出入口１３からドラム８内に所定時間送り込まれる。これにより、ドラム８内に収容された洗濯物が、オゾンを含む空気によって除菌・消臭（浄化）される。なお、洗濯物の浄化を促進するために、ドラム８が回転し、バッフル１２によって洗濯物が攪拌されてもよい。そして、送風機１５、空気流路１６およびオゾン発生装置１７は、浄化用空気供給手段として機能する。
【００４０】
図２は、エアウォッシュ運転における制御に係る電気的構成を示すブロック図である。
図２を参照して、エアウォッシュ運転では、ハウジング２内に設けられた制御部１８（制御手段）によって、送風機１５およびオゾン発生装置１７が制御される。制御部１８は、操作・表示部６、ドラム８（ＤＤモータ１０）、送風機１５およびオゾン発生装置１７のそれぞれに対して電気的に接続されている。
【００４１】
操作・表示部６において、ユーザが、エアウォッシュ運転を実行させるための操作キー（図示せず）を操作すると、その操作に応じて、制御部１８は、送風機１５およびオゾン発生装置１７を作動させてエアウォッシュ運転を実行する。また、必要に応じて、制御部１８は、ドラム８を回転させる（ＤＤモータ１０を駆動させる。）。
３．ブーツアタッチメントおよびブーツトレイ
図３は、ブーツアタッチメント３０を正面右上から見た斜視図である。図４は、ブーツトレイ３１を正面右上から見た斜視図である。図５において、図５（ａ）は、ブーツアタッチメント３０の左側面図であり、図５（ｂ）は、ブーツアタッチメント３０の正面図であり、図５（ｃ）は、ブーツアタッチメント３０の右側面図であり、図５（ｄ）は、ブーツアタッチメント３０の背面図であり、図５（ｅ）は、ブーツアタッチメント３０の平面図であり、図５（ｆ）は、ブーツアタッチメント３０の底面図である。図６は、ブーツアタッチメント３０の後パーツ４１に連結機構４８を取り付ける様子を背面右上から見た斜視図である。
【００４２】
この洗濯機１においてエアウォッシュ運転で浄化される洗濯物には、通常想定される衣類の他に、靴やぬいぐるみ等が含まれる。さらに、靴に関し、この洗濯機１では、ビジネスシューズやサンダルやスニーカーといった比較的背の低いものに限らず、ブーツといった比較的背の高いものもエアウォッシュ運転で浄化できる。
洗濯機１では、ブーツをエアウォッシュ運転で浄化するためのブーツ浄化用補助具として、図３および図４に示すブーツアタッチメント３０およびブーツトレイ３１が設けられている。後述するように、ブーツアタッチメント３０は、ブーツに対して着脱自在に装着され、ブーツトレイ３１は、洗濯機１のドラム８に着脱自在に装着される。
（１）ブーツアタッチメント
ブーツアタッチメント３０は、１足のブーツに応じて一対設けられている。図３に示すように、ブーツアタッチメント３０は、たとえば樹脂製で、縦長の略中空円筒形状の筒状体２５を有している。
【００４３】
筒状体２５は、後述するようにブーツに挿入されるものである。そこで、筒状体２５の胴回りの寸法（太さ）は、一般的な胴回りを有するブーツに余裕を持って挿入されるように設定されている。また、筒状体２５の高さ寸法（上下方向寸法）は、一般的な高さを有するブーツに筒状体２５を挿入したときに、筒状体２５の上端部がブーツの履き口から露出されるように設定されている。
【００４４】
筒状体２５は、下方へ向うのに従って次第に細くなり、下端において僅かに太くなるように形成されている。
筒状体２５には、上開口３２（導入口）と、第１下開口３３（開口）と、第２下開口３４（開口、下部開口および下部前開口）と、第１途中開口３５（開口および途中開口）と、開口および途中開口としての第２途中開口３６（図６参照）とが形成されている。上開口３２、第１下開口３３、第２下開口３４、途中開口３５および第２途中開口３６は、筒状体２５の内部（中空部分）に連通している。
【００４５】
上開口３２は、筒状体２５の上端部において、上方へ臨むように形成されている。
第１下開口３３は、筒状体２５の下端部において、下方へ臨むように形成されている。
第２下開口３４は、筒状体２５の前側面（筒状体２５の案内部としての外表面２５Ａにおける前側部分）の下端部において、前方へ臨むように形成されている。
第１途中開口３５は、筒状体２５の前側面における、上開口３２と第２下開口３４との間の上下方向の所定範囲において、つまり、筒状体２５の上部から下部へ向かう途中において、前方へ臨むように形成されている。第１途中開口３５は、多数の小孔３７（小貫通孔）によって構成されている。たとえば、４つの小孔３７が１組とされ、この組が上下方向および左右方向に沿って複数設けられている。なお、１組の小孔３７における各小孔３７の大きさは、下の小孔３７に行くほど大きくなっている。
【００４６】
第１途中開口３５に関し、筒状体２５の前側面における、上開口３２と第２下開口３４との間には、筒状体２５の内側（後側）に窪む第１凹部３８（凹部）が形成されている。第１凹部３８は、上下方向に長手である。第１途中開口３５は、第１凹部３８に形成されている。つまり、第１途中開口３５は、筒状体２５の前側面（外表面２５Ａ）において、第１凹部３８以外の部分に比べて一段窪んだ部分に形成されている。
【００４７】
第２途中開口３６は、図５（ｄ）に示すように、筒状体２５の後側面（筒状体２５の外表面２５Ａにおける後側部分）における、上下方向において第１途中開口３５とほぼ同じ領域に（図５（ｂ）参照）、後方へ臨むように形成されている。第２途中開口３６は、第１途中開口３５と同様に、多数の小孔３７によって構成されている。
第２途中開口３６に関し、筒状体２５の後側面における、上下方向において第１凹部３８とほぼ同じ領域には、筒状体２５の内側（前側）に窪む第２凹部３９（凹部）が形成されている。第２凹部３９は、第１凹部３８と同様に、上下方向に長手である。第２途中開口３６は、第２凹部３９に形成されている。つまり、第２途中開口３６は、筒状体２５の後側面（外表面２５Ａ）において、第２凹部３９以外の部分に比べて一段窪んだ部分に形成されている。
【００４８】
図３を参照して、筒状体２５は、前後方向略中央位置を境界として、前パーツ４０と後パーツ４１とに前後に分割可能である。
前パーツ４０は、上下方向に長手であり、平面視において前側へ膨出する略円弧状である（図５（ｅ）および図５（ｆ）参照）。前パーツ４０に、上述した第２下開口３４、第１途中開口３５および第１凹部３８が形成されている。また、前パーツ４０の上端縁が、上開口３２の前半分を区画し、前パーツ４０の下端縁が、第１下開口３３の前半分を区画する。前パーツ４０の上端縁（詳しくは、前パーツ４０の上端部４２の上端縁）は、図５（ｂ）に示すように、正面視において上側へ膨出する略円弧形状であり、幅方向から見ると、斜め前側上方ヘ延びている（図５（ａ）および図５（ｃ）参照）。
【００４９】
図６に示すように、後パーツ４１は、上下方向に長手であり、平面視において後側へ膨出する略円弧状である（図５（ｆ）参照）。後パーツ４１に、上述した第２途中開口３６および第２凹部３９が形成されている（図５（ｄ）参照）。また、後パーツ４１の上端縁が、上開口３２の後半分を区画し、後パーツ４１の下端縁が、第１下開口３３の後半分を区画する。
【００５０】
図５（ｄ）および図６に示すように、後パーツ４１の幅方向両端部には、凹み４１Ａが形成されている。凹み４１Ａは、後パーツ４１の幅方向における片側の端部において、上下方向に間隔を隔てて３つ、つまり、後パーツ４１の幅方向両端部で６つ形成されている。各凹み４１Ａには貫通穴５８（図６参照）が形成されており、ネジ５７が貫通穴５８に後側から通されて、前パーツ４０に組み付けられる（図５（ｃ）参照）。これにより、前パーツ４０と後パーツ４１とが一体化される。
【００５１】
後パーツ４１の上端部４３（導入部）は、図３に示すように前パーツ４０と後パーツ４１とが一体化された状態において、前パーツ４０の上端部４２よりも上側に突き出ている（図５（ａ）、図５（ｂ）および図５（ｃ）も参照）。上端部４３は、後パーツ４１において上端部４３より下側の部分に比べて肉厚である。上端部４３の後側面周辺は、全体的に丸みを帯びており（図８参照）、上端部４３の後側面は、上側に向って後側へ湾曲している（図５（ａ）および図５（ｃ）参照）。上端部４３において、幅方向に間隔を隔てて対向する左部分４４および右部分４５は中空になっている。
【００５２】
左部分４４および右部分４５のそれぞれの幅方向外側面には、丸穴４６が形成されており（図５（ａ）および図５（ｃ）参照）、左部分４４および右部分４５のそれぞれの後側面には、矩形穴４７が形成されている（図５（ｄ）および図６参照）。図６に示すように、右部分４５の丸穴４６および矩形穴４７は、右部分４５の内部（中空部分）に連通している。図示されてないが、左部分４４の丸穴４６および矩形穴４７は、左部分４４の内部（中空部分）に連通している。
【００５３】
右部分４５の内部には、右部分４５の前側壁の後側面４５Ａが露出されており、後側面４５Ａの上下方向略中央には、後側へ延びるリブ５４が設けられている。また、後側面４５Ａにおいて、リブ５４の下方には、矩形穴４７へ向って後側へ延びる円柱状のボス５５が設けられている。ボス５５の後端面は、矩形穴４７から後側へ露出されており、ボス５５の後端面には、ネジ穴５５Ａが形成されている。なお、リブ５４およびボス５５は、図示されていないが、左部分４４の内部にも設けられている。
【００５４】
左部分４４および右部分４５のそれぞれの内部には、連結機構４８が取り付けられる。
（２）連結機構
図７において、図７（ａ）は、連結機構４８を正面左上から見た斜視図であり、図７（ｂ）は、連結機構４８の底面図であり、図７（ｃ）は、連結機構４８を正面右下から見た斜視図である。図８は、ブーツアタッチメント３０を背面右上から見た斜視図である。
【００５５】
図７を参照して、連結機構４８は、左部分４４および右部分４５に応じて２つ設けられている。
連結機構４８は、左部分４４および右部分４５のそれぞれの内部に収容され得る大きさを有している。連結機構４８は、一体化機構としてのマグネット４９と、マグネットホルダ５０と、キャップ５１とを含んでいる。
【００５６】
マグネット４９は、円柱形状であり、その中心軸が幅方向に沿って延びるように配置される。
マグネットホルダ５０は、幅方向から見て、前側へ突き出る凸形状であり（図７（ａ）参照）、第１部５２と第２部５３とを一体的に有している。
第１部５２は、矩形穴４７（図６参照）をちょうど塞ぎ得る大きさを有する上下方向に長手のブロック形状である。第１部５２の下端には、第１部５２を前後方向に貫通する貫通穴５２Ａが形成されている。第１部５２の後側面周辺は、上端部４３の後側面と同様に、丸みを帯びている（図６および図８参照）。
【００５７】
第２部５３は、幅方向において薄い板状であり、第１部５２の前側面において貫通穴５２Ａより上側の部分から前側へ突出している。第２部５０Ｂの前端部は、湾曲状に面取りされている。
キャップ５１は、幅方向において薄く、幅方向から見て略矩形の板状である（図７（ｃ）参照）。キャップ５１の幅方向内側の面（図７では左側面）には、窪み５１Ａが形成されている（図７（ｂ）参照）。キャップ５１の幅方向外側の面（図７では右側面）において窪み５１Ａに相当する部分は、窪み５１Ａに応じて幅方向外側に膨出しており、膨出部分５１Ｂとされる。膨出部分５１Ｂは、幅方向外側から見て、上述した後パーツ４１の左部分４４および右部分４５の丸穴４６（図５（ａ）、図５（ｃ）および図６参照）とほぼ同じ大きさの円形状である。キャップ５１の前端には、上下方向に僅かに間隔を隔てて互いに対向しつつ前側へ突出する１対の突起５１Ｃが一体的に設けられている（図７（ａ）および図７（ｃ）参照）。
【００５８】
ここで、マグネットホルダ５０の第２部５３の幅方向外側の面（図７では右側面）の前端部には、マグネット４９の幅方向内側の端部（図７では左端部）が外れ不能に取り付けられており、マグネット４９の幅方向外側の端部（図７では右端部）がキャップ５１の窪み５１Ａに埋め込まれている（図７（ｂ）参照）。そのため、連結機構４８では、マグネット４９、マグネットホルダ５０およびキャップ５１が一体化されている。
【００５９】
次に、図６を参照して、後パーツ４１の右部分４５の内部に連結機構４８を収容して固定する手順を説明する。なお、左部分４４の内部に連結機構４８を収容して固定する手順は、右部分４５の内部に連結機構４８を収容して固定する手順と同じである。
ます、キャップ５１の前端部（突起５１Ｃ）が連結機構４８の前端に位置し、かつ、キャップ５１の膨出部分５１Ｂが連結機構４８において幅方向外側（図６では左側）に位置するように、連結機構４８を右部分４５の矩形穴４７の後方で保持する。そして、連結機構４８を前側（図示破線矢印参照）へ移動させ、矩形穴４７から右部分４５の内部に挿入する。そして、キャップ５１における一対の突起５１Ｃが右部分４５内のリブ５４を挟持して、リブ５４の後端が、一対の突起５１Ｃの間におけるキャップ５１の前端縁に当接すると、連結機構４８の移動が停止され、連結機構４８が右部分４５の内部に収容される（図８参照）。
【００６０】
図８に示すように、連結機構４８が右部分４５の内部に収容された状態では、キャップ５１の膨出部分５１Ｂが右部分４５の丸穴４６に隙間なく嵌り、この丸穴４６から幅方向外側に露出されている。また、マグネットホルダ５０の第１部５２が矩形穴４７（図６参照）を後側から隙間なく塞いでいる。この状態において、第１部５２の後側面は、右部分４５の後側面における矩形穴４７の周囲の部分に対して滑らかに連続している。また、第１部５２の貫通穴５２Ａと、矩形穴４７から後側へ露出されたボス５５の後端面のネジ穴５５Ａとが前後方向に対向している（図６参照）。そのため、ネジ５６を貫通穴５２Ａに通してネジ穴５５Ａに組み付けることによって、第１部５２がボス５５に連結される。つまり、連結機構４８が、右部分４５の内部に収容された状態で、右部分４５（後パーツ４１）に固定される。なお、左右の連結機構４８において、キャップ５１は、左部分４４および右部分４５（つまり後パーツ４１）と一体化されていてもよい。その場合、左部分４４および右部分４５には、上述した丸穴４６が形成されない。
（３）ブーツトレイ
図４に示すように、ブーツトレイ３１は、平面視において略矩形の皿形状である。すなわち、ブーツトレイ３１は、平面視において略矩形板状の底壁６０と、底壁６０の全ての外周縁から上向きに延びて底壁６０の上側面を前後左右方向から取り囲む囲い壁６１とを一体的に備えている。また、ブーツトレイ３１の後端部における囲い壁６１の幅方向中央部分は、前側へ凹んでおり、凹み部分６２とされる。そして、底壁６０において、平面視における略中央から凹み部分６２までの部分が、上側へ膨出しており、膨出部分６３とされる。膨出部分６３は凹み部分６２に近付くに従って（つまり、後側へ向うのに従って）、徐々に幅広になり、かつ、徐々に上側へ膨出している。底壁６０の上側面は、膨出部分６３によって、左領域６０Ａと右領域６０Ｂとに左右に区画されている。また、底壁６０の下側面において膨出部分６３と一致する部分には、膨出部分６３に対応して上側へ窪む窪み６０Ｃ（受入部）が形成されている。
（４）ブーツのエアウォッシュ運転
図９は、ブーツアタッチメント３０が挿入された一対のブーツ７０がブーツトレイ３１に載置された状態を正面右上から見た斜視図である。図１０は、ブーツアタッチメント３０が挿入された一対のブーツ７０が載置されたブーツトレイ３１を収容した状態にあるドラム８の右側断面図である。図１１は、図１０のＡ−Ａ矢視断面図である。図１２は、図１１のＢ−Ｂ矢視断面図である。
【００６１】
次に、ブーツのエアウォッシュ運転について説明する。
まず、図９に示すように、ブーツトレイ３１の底壁６０の上側面に１足のブーツ７０を載置する。このとき、正面から見て左のブーツ７０は、底壁６０の上側面の左領域６０Ａに載置され、正面から見て右のブーツ７０は、底壁６０の上側面の右領域６０Ｂに載置される。そして、一対のブーツアタッチメント３０（詳しくは筒状体２５）のうち、一方のブーツアタッチメント３０が左のブーツ７０に挿入され、他方のブーツアタッチメント３０が右のブーツ７０に挿入される。なお、各ブーツアタッチメント３０は、左右のブーツ７０のどちらにも使用できる。
【００６２】
この状態において、各ブーツ７０では、図１２に示すように、筒状体２５が余裕を持って挿入されている。つまり、筒状体２５の外表面２５Ａ（詳しくは、筒状体２５の上端部より下側の部分）が、ブーツ７０の内周面（詳しくはブーツ７０の踵部分７０Ａより上側の内周面）に対して、所定の間隔を隔てて対向している。
また、筒状体２５の下端部が、ブーツ７０の内部における踵部分７０Ａに当接しており、筒状体２５は、ブーツ７０内で直立した状態で保持されている。そして、筒状体２５の上端部（前パーツ４０の上端部４２および後パーツ４１の上端部４３）が、ブーツ７０の履き口７０Ｂから上側に露出している。ここで、前パーツ４０の上端部４２は、後パーツ４１の上端部４３より前側に位置している。
【００６３】
そして、ブーツ７０に挿入された筒状体２５では、第１下開口３３がブーツ７０の内部における踵部分７０Ａに上から対向し、第２下開口３４が、ブーツ７０の内部における爪先部分７０Ｃに向いている。また、第１途中開口３５は、ブーツ７０の内周面における前側部分に臨み、第２途中開口３６は、ブーツ７０の内周面における後側部分に向いている。
【００６４】
そして、左右それぞれのブーツ７０にブーツアタッチメント３０の筒状体２５を挿入すると、図９に示すように、正面から見て左のブーツ７０に挿入されたブーツアタッチメント３０における右側の連結機構４８と、正面から見て右のブーツ７０に挿入されたブーツアタッチメント３０における左側の連結機構４８とが幅方向において隣接する。ここで、各連結機構４８には、マグネット４９が設けられていることから（図７参照）、左のブーツアタッチメント３０における右側の連結機構４８と、右のブーツアタッチメント３０における左側の連結機構４８とが、それぞれのマグネット４９の磁力によって、互いに引き付け合う。これにより、左右一対のブーツアタッチメント３０が一体化される。そして、このように一体化された左右のブーツアタッチメント３０が互いに支えあうことにより、それぞれのブーツアタッチメント３０の筒状体２５がブーツ７０内で安定して直立する（図１２参照）。
【００６５】
そして、ブーツアタッチメント３０（筒状体２５）が挿入されたブーツ７０が載置されたブーツトレイ３１を、図１０に示すように、洗濯機１のドラム８内に収容（セット）する。ここで、ブーツトレイ３１をドラム８内に収容するのに先立って、図１１に示すように、ドラム８を手で動かす等によって、３つのバッフル１２のうちのひとつを下限へ移動させる。３つのバッフル１２は、上述したようにドラム８の内周面において周方向に沿って等間隔で配置されているので、１つのバッフル１２を下限へ移動させると、ドラム８の内周面において下限のバッフル１２Ｘと上下方向に対向する位置には、残りのバッフル１２Ｙおよび１２Ｚが存在しない。
【００６６】
そして、下限にあるバッフル１２Ｘを上から跨ぐようにブーツトレイ３１をドラム８内に配置する。このとき、図１０に示すように、下限にあるバッフル１２Ｘの後端１２Ｂ（図１参照）がブーツトレイ３１の窪み６０Ｃに嵌合して、窪み６０Ｃによって受け入れられる。これにより、ブーツトレイ３１がドラム８内で位置決めされる。ここで、上述したように、１つのバッフル１２Ｘを下限へ移動させると、ドラム８の内周面において下限のバッフル１２Ｘと上下方向に対向する位置に残りのバッフル１２Ｙおよび１２Ｚが存在しない（図１１参照）。つまり、残りのバッフル１２Ｙおよび１２Ｚは、ドラム８内においてブーツトレイ３１に載置されたブーツ７０およびブーツアタッチメント３０の上端から離れた位置に配置される。これにより、これらの残りのバッフル１２Ｙおよび１２Ｚがブーツ７０およびブーツアタッチメント３０に干渉することを防止することができる。そのため、ドラム８内におけるブーツ７０およびブーツアタッチメント３０の姿勢を安定させることができる。
【００６７】
このように、ブーツアタッチメント３０が挿入されたブーツ７０が載置されたブーツトレイ３１をドラム８内に収容してから、ドア５（図１参照）を閉じ、エアウォッシュ運転を実行する。この場合、ドラム８が回転すると、ブーツアタッチメント３０、ブーツトレイ３１およびブーツ７０がドラム８内で散乱してしまうので、上述した制御部１８（図２参照）は、ドラム８を回転させない。
【００６８】
ブーツのエアウォッシュ運転は、上述した衣類用の通常のエアウォッシュ運転よりも長時間（たとえば６０分間）実施される。つまり、図１に示すように、オゾンを含んだ空気（浄化用空気）が、空気流路１６から、開口４の上端と出入口１３の上端との間へ到達し、ドア５の円錐面５Ａにぶつかることによって出入口１３へ導かれ、出入口１３からドラム８内に送り込まれる（図示太線矢印参照）。
【００６９】
図１０を参照して、ドラム８内に送り込まれた浄化用空気は、ドラム８内を後側へ流れる（図示太線矢印参照）。そして、この浄化用空気は、ブーツ７０の履き口７０Ｂから上側にはみ出たブーツアタッチメント３０の筒状体２５の上端部（前パーツ４０の上端部４２および後パーツ４１の上端部４３）に前側からぶつかる。
ここで、前パーツ４０の上端部４２にぶつかった浄化用空気は、図１２の太い点線矢印で示すように、流れる向きが下方へ変更されて、ブーツ７０の履き口７０Ｂへ向う。そして、この浄化用空気は、履き口７０Ｂを経由した後に、筒状体２５とブーツ７０の内周面における前側部分との間を自重によって下降し、ブーツ７０の内部に行き渡る。
【００７０】
一方、後パーツ４１の上端部４３にぶつかった浄化用空気は、図１２において太い実線矢印で示すように、流れる向きが下方へ変更されて上開口３２へ向う。そして、この浄化用空気は、上開口３２によって筒状体２５の内部へ導かれて筒状体２５の内部に入り（取り込まれ）、筒状体２５の内部を自重によって下降する。このように、上端部４３は、浄化用空気を筒状体２５内へ導き入れる。そして、筒状体２５の内部を下降する浄化用空気の一部は、下降する途中において、第１途中開口３５および第２途中開口３６の小孔３７から筒状体２５の外へ流出し、筒状体２５の前後側方（つまり、筒状体２５とブーツ７０の内周面との間）に至る。筒状体２５の内部を下降して第１下開口３３まで到達した浄化用空気は、第１下開口３３から筒状体２５の外へ流出し、ブーツ７０の内部における踵部分７０Ａに至る。筒状体２５の内部を下降して第２下開口３４まで到達した浄化用空気は、第２下開口３４から筒状体２５の外へ流出し、ブーツ７０の内部における爪先方向（爪先部分７０Ｃ）へ流れる。このように、筒状体２５内の浄化用空気は、ブーツ７０の内部に行き渡る。
【００７１】
ブーツ７０の内部に行き渡った浄化用空気は、ブーツ７０の内部を浄化した後、太い１点鎖線の矢印で示すように、筒状体２５とブーツ７０の内周面との間を通ってブーツ７０の履き口７０Ｂへ向って上昇し、履き口７０Ｂからブーツ７０の外へ流出する。このとき、筒状体２５の外表面２５Ａが浄化用空気の上昇を案内する。なお、筒状体２５の外表面２５Ａに、浄化用空気の上昇をガイドするためのリブや溝などを設けてもよい。
【００７２】
以上のように、このブーツアタッチメント３０では、ドラム８内に供給された浄化用空気が上端部４３によって筒状体２５内へ円滑に導き入れられて筒状体２５内を下降する（太い実線矢印参照）。そして、この浄化用空気は、第１途中開口３５、第２途中開口３６、第１下開口３３および第２下開口３４から筒状体２５外へ至ってブーツ７０内部に行き渡る（太い実線矢印参照）。これにより、浄化用空気によってブーツ７０内部が浄化される。
【００７３】
そして、筒状体２５外へ至ってブーツ７０内部の浄化に供した空気（ブーツ７０内部の浄化に伴ってオゾンが分解されることによってオゾンをほとんど含まない空気）は、オゾン（つまり、上開口３２から筒状体２５内に入った当初の浄化用空気）に比べて軽く、筒状体２５の外表面２５Ａによって、筒状体２５とブーツ７０の内面との間を通ってブーツ７０の履き口７０Ｂへ向って上昇するように案内されるので、ブーツ７０の外へ円滑に排出される（太い１点鎖線の矢印参照）。これにより、ブーツ７０内における浄化用空気の流れがスムーズになるので、新しい浄化用空気を筒状体２５内に円滑に取り込むことができる。
【００７４】
また、筒状体２５の上部に設けられた連結機構４８のマグネット４９（図７および図８参照）によって、ブーツ７０に挿入された一対のブーツアタッチメント３０を図９に示すように一体化させると、これらのブーツアタッチメント３０が互いに支え合う。そのため、ブーツ７０内部の浄化中において、これらのブーツアタッチメント３０の姿勢を安定させることができる。そして、上述したようにブーツトレイ３１を用いてバッフル１２Ｙおよび１２Ｚがブーツ７０およびブーツアタッチメント３０に干渉することを防止することによっても、ブーツ７０およびブーツアタッチメント３０の姿勢を安定させることができる（図１１参照）。そのため、浄化用空気をドラム８内のブーツ７０に効果的に浴びせることができる。
【００７５】
これらの結果、この洗濯機１では、このようなブーツアタッチメント３０およびブーツトレイ３１を用いることにより、浄化用空気によってブーツ７０を良好に浄化することができる。
特に、図１２に示すように、第２下開口３４から筒状体２５外へ至った浄化用空気は、ブーツ７０内部における爪先部分７０Ｃへ向うので、浄化用空気によって爪先部分７０Ｃを良好に浄化することができる。
【００７６】
また、第１途中開口３５および第２途中開口３６から筒状体２５外へ至った浄化用空気は、ブーツ７０内部において、筒状体２５の上部から下部までの間に相当する部分（ブーツアタッチメント３０の前後側方）へ向うので、浄化用空気によってこの部分を良好に浄化することができる。ここで、第１途中開口３５および第２途中開口３６は、筒状体２５の上下方向における所定範囲に形成された多数の小孔３７を含むので、筒状体２５内の浄化用空気を、これらの小孔３７を介して、筒状体２５外へ円滑に至らせることができる。
【００７７】
そして、第１途中開口３５および第２途中開口３６（つまり小孔３７）は、筒状体２５の内側に窪むように筒状体２５の外表面２５Ａに形成された第１凹部３８および第２凹部３９に形成されている。これにより、ブーツ７０の内面が筒状体２５の外表面２５Ａに接触しても、ブーツ７０の内面によって第１途中開口３５および第２途中開口３６が塞がれることはない。そのため、筒状体２５内の浄化用空気を、第１途中開口３５および第２途中開口３６を介して、筒状体２５外へ円滑に至らせることができる。
【００７８】
また、制御部１８（図２参照）によって、このようにドラム８内に浄化用空気を所定時間供給するエアウォッシュ運転が実行されるので、ブーツ７０を良好に浄化することができる。
この発明は、以上の実施形態の内容に限定されるものではなく、請求項記載の範囲内において種々の変更が可能である。
【００７９】
たとえば、このようにブーツ７０をエアウォッシュする構成は、洗濯機１に付随しない独立の装置として存在してもよい。つまり、洗濯機１にドラム８、送風機１５、空気流路１６およびオゾン発生装置１７（図１参照）だけを残した構成が、ブーツ７０を浄化することを主たる機能とするブーツ収納装置として存在してもよい。もちろん、このブーツ収納装置においても、上述した洗濯機１と同様に、ブーツアタッチメント３０およびブーツトレイ３１（図３および図４参照）が使用される。
【００８０】
そして、ブーツアタッチメント３０は、エアウォッシュ運転を行わないときでも、いわゆるシューズキーパーとして、ブーツ７０に挿入されていてよい。これにより、ブーツ７０の型崩れを防止することができる。
また、上記の実施形態では、先にブーツトレイ３１にブーツ７０を載置してから（図９参照）、ブーツトレイ３１をドラム８に収容したが（図１０および図１１参照）、予めブーツトレイ３１のみをドラム８に収容してから、ブーツアタッチメント３０が挿入されたブーツ７０を、ドラム８内のブーツトレイ３１に載置しても構わない。
【００８１】
また、ブーツ７０の背が低ければ、ブーツ７０およびブーツアタッチメント３０の上端が、上述したバッフル１２Ｙおよびバッフル１２Ｚ（図１１参照）に干渉しないので、上述したようにバッフル１２Ｘを下限に移動させなくてもよい。
また、ブーツトレイ３１がなくてもブーツ７０をドラム８内に安定してセットできるのであれば、ブーツトレイ３１を用いずにエアウォッシュ運転を実施してもよい。
【００８２】
また、上記の実施形態では、エアウォッシュ運転で一対のブーツ７０を浄化したが、片方のブーツ７０のみを浄化してもよい。
【図面の簡単な説明】
【００８３】
【図１】この発明の一実施形態に係る洗濯機１の右側断面図である。
【図２】エアウォッシュ運転における制御に係る電気的構成を示すブロック図である。
【図３】ブーツアタッチメント３０を正面右上から見た斜視図である。
【図４】ブーツトレイ３１を正面右上から見た斜視図である。
【図５】図５（ａ）は、ブーツアタッチメント３０の左側面図であり、図５（ｂ）は、ブーツアタッチメント３０の正面図であり、図５（ｃ）は、ブーツアタッチメント３０の右側面図であり、図５（ｄ）は、ブーツアタッチメント３０の背面図であり、図５（ｅ）は、ブーツアタッチメント３０の平面図であり、図５（ｆ）は、ブーツアタッチメント３０の底面図である。
【図６】ブーツアタッチメント３０の後パーツ４１に連結機構４８を取り付ける様子を背面右上から見た斜視図である。
【図７】図７（ａ）は、連結機構４８を正面左上から見た斜視図であり、図７（ｂ）は、連結機構４８の底面図であり、図７（ｃ）は、連結機構４８を正面右下から見た斜視図である。
【図８】ブーツアタッチメント３０を背面右上から見た斜視図である。
【図９】ブーツアタッチメント３０が挿入された一対のブーツ７０がブーツトレイ３１に載置された状態を正面右上から見た斜視図である。
【図１０】ブーツアタッチメント３０が挿入された一対のブーツ７０が載置されたブーツトレイ３１を収容した状態にあるドラム８の右側断面図である。
【図１１】図１０のＡ−Ａ矢視断面図である。
【図１２】図１１のＢ−Ｂ矢視断面図である。
【符号の説明】
【００８４】
１      洗濯機
７      外槽
８      ドラム
９      回転軸
１２    バッフル
１３    出入口
１５    送風機
１６    空気流路
１７    オゾン発生装置
１８    制御部
２５    筒状体
２５Ａ  外表面
３０    ブーツアタッチメント
３１    ブーツトレイ
３２    上開口
３３    第１下開口
３４    第２下開口
３５    第１途中開口
３６    第２途中開口
３７    小孔
３８    第１凹部
３９    第２凹部
４３    上端部
４９    マグネット
６０Ｃ  窪み
７０    ブーツ
７０Ｂ  履き口
７０Ｃ  爪先部分
【図１】
0005193589.tif 000002
【図２】
0005193589.tif 000003
【図３】
0005193589.tif 000004
【図４】
0005193589.tif 000005
【図５】
0005193589.tif 000006
【図６】
0005193589.tif 000007
【図７】
0005193589.tif 000008
【図８】
0005193589.tif 000009
【図９】
0005193589.tif 000010
【図１０】
0005193589.tif 000011
【図１１】
0005193589.tif 000012
【図１２】
0005193589.tif 000013